(57)【要約】【構成】本発明は、２個の個箱から構成されており、両箱が接する面における共有する稜線の一本乃至三本が破断線によって分離可能に連結されていることを特徴とする複合包装体であって、１枚の台紙から組み立てられる複合包装体に関する。【効果】本発明に係わる複合包装体によれば、従来の製造ラインに特別の変更を加えることなく、経済的、合理的にセット品の製造をすることができ、当該包装体は、簡単な操作により個別の単品としても取り扱うことができるものである。したがって、異種の物品をセット品にて販売する方法だけでなく、同種の物品の増量供給にも対応し、各種商品を包装する包装体として広範な分野に利用できるものである。【選択図】　　　図３
2004136905.tif 000002
【特許請求の範囲】
【請求項１】
２個の個箱から構成されており、両箱が接する面における共有する稜線の一本乃至三本が破断線によって分離可能に連結されていることを特徴とする複合包装体。
【請求項２】
１枚の台紙から形成される請求項１に記載の複合包装体。
【請求項３】
連結される稜線が一本である請求項１乃至２に記載の複合包装体。
【発明の詳細な説明】
【０００１】
【発明の属する技術分野】
本発明は、２個の個箱を連結してなる複合包装体に係わり、特にコンタクトレンズの洗浄等に用いるケアソリューションを収納するボトルを２本セットで包装するに適した包装体に関する。
【０００２】
【従来の技術】
従来より、化粧品やヘアケア用品などのペアーで使用される商品について、各用途に使用される内容物を含む容器を個箱に収納し、さらにこれらをまとめて１組にした外箱にセットすることにより、セット品として販売する方法がある。この販売方式は、製造者にとっては組み合わせて使用することによりそれぞれ単独で使用されるよりも効果を上げる商品を提供できるという点、流通段階、小売店にとっては商品在庫の確認や売場における商品展示が容易であるという点、さらに需要者にとってみればセット価格が割安に設定されることにより手頃に購入しやすくなるなどの利点を有する。
【０００３】
また、前記のように異種の商品を組み合わせたセット品としない場合であっても、同一の商品を組み合わせてまとめ買いをしてもらうことによって、個別に購入する場合に比して商品価格を引き下げることができ、需要を喚起することにもつながる。一方、コンタクトレンズのケア用ソリューションについては、一つの溶液で多目的（洗浄・すすぎ・保存・消毒など）に使用できるようになったことから、他種類のソリューションを用意する必要がなくなった反面で、当該一つの溶液の使用量が増えたために、従来よりも大きな容量のボトルで供給する必要が生じている。これを、単純に容量の大きなボトルに切り替えようとすると、ボトルの成形金型から搬送、梱包に至るまでいわゆる製造ラインを変更せざるを得ないために、却って製品価格があがってしまうという問題がある。そこで、従来どおりのボトルを使用して、それをセット品として販売することにより、容量の大きなボトルに対応する量を供給しようとする試みがある。
【０００４】
このように商品をセット販売する方法が採用され、それに伴って販売価格を引き下げることになると、個箱やそれを収納する外箱など包装に要するコストを削減することが求められる。セット品の販売形態として、従来の個箱をまとめてシュリンクフィルムによって包装することも行われる。シュリンクフィルムは、外箱に較べれば単価が安いと思われるものの、シュリンク包装を施すために製造工程中に新しく包装用の設備を導入しなければならず、必ずしもコスト削減を満足するものではない。また、容器をまとめて一つの外箱に収納し、個箱を廃止することも考えられるが、そうすると単品を購入したいという顧客の要求に対しては応えられなくなり、これも好ましいものではない。
【０００５】
こうした複合包装体に関連するいくつかの提案がなされており、例えば、特開平１０−２５８８２７号には、連結フラップなる個箱同士を簡便に連結する連結箱や、特開２０００−１８５７３８号には、連結台紙で複数の個箱を連結してまとめた複合箱が記載されている。これらによれば、容易にセット品の製造が可能であるが、前者は、個箱上下の連結フラップのみでは各個箱間の連結力に乏しく、後者は個箱以外に連結台紙を必要とする点で、必ずしも十分満足できるものではなかった。
【０００６】
【発明が解決しようとする課題】
本発明は、上記従来技術の問題点に鑑みてなされたものであって、簡単な構造によって２個の個箱をセット品として販売する形態にすることができ、あるいは単品の商品として販売することもできる複合包装体を提供することを目的とする。
【０００７】
【課題を解決するための手段】
上記目的を達成するために本発明に係わる複合包装体は、以下の構成を特徴とする。すなわち、２個の個箱から構成されており、両箱が接する面における共有する稜線の一本乃至三本が破断線によって分離可能に連結されていることを特徴とする複合包装体をその要旨とする。両箱が面で接することによりセット品全体の形態が安定しており、接触面の稜線によって分離可能に連結されていることから単品として販売する場合には破断線に沿って分離するだけで、各個別の包装体へと変更することができる。
【０００８】
本発明の複合包装体は、１枚の台紙を折り曲げ、組み立てた状態で所定の部位を接着することで個箱が連結した複合包装体を形成する。外箱と個箱が兼用されるので紙の使用量が少なく、もともと１枚の台紙から構成されるので、個箱の連結力も十分である。また従来の個箱製造ラインと基本的に同じ工程で生産できるので、新たに設備投資する必要もない。なお、個箱同士の連結力については破断線のピッチや、共有する稜線の数によって適宜調製できる。
【０００９】
【発明の実施の形態】
本発明により構成された複合包装体について好適な実施例を添付図面に基づいて具体的に説明する。
【００１０】
図１は本発明の複合包装体の一実施形態の展開図を示す。図に示すように一枚の台紙１から組み立てることにより二個の直方体の個箱が連結した包装体が構成されることが判る。この例では、中央部に点線で示すように各個箱に分離可能にするための破断線２が設けられている。当該破断線は二個の個箱が接する長方形の面において共有する二本の稜線に対して敷設されているが、これにより包装体全体を組み立てたときの形態安定性が優れているものとなる。この破断線は図に示す矢印Ａ、Ｂ、Ｃの三ヶ所の稜線のいずれに形成されていてもよいが、原則的に個箱をセット品として販売することを考慮すれば、形態安定性を考えて図１に示す以外にＡ、Ｃもしくは、Ａ、Ｂの二ヶ所の位置に破断線が設けられることが好ましい。なお、破断線が設けられない位置は、図に示すＡのように切り離した状態とする。また、単品としての販売も考慮すれば、分離後の直方体の稜線に破断部が残される量を少なくするためにＡまたはＣの位置のみに破断線を設け、他は切り離された状態にすることが好ましい。
【００１１】
図１の斜線部３ａ、３ｂおよび４ａ、４ｂはそれぞれ、個箱形成のために接着する糊代、一点斜線部は、個箱形成時に各９０°の谷折りにする折り目を示している。糊代の幅は、特に限定はなく個箱に収納するものが重ければ頑丈に接着し、軽ければ簡易的な接着でよい。接着剤については、フェノール樹脂、メラミン樹脂、エポキシ樹脂などの熱硬化性樹脂接着剤、ポリ酢酸ビニル、ＰＶＡなどの熱可塑性樹脂接着剤、ブタジエンアクリロニトリルゴムなどのエラストマ接着剤などがあり、台紙１が厚紙、ラミネートシート、樹脂シートなどどれを素材に選択するかによって、接着性の良いものを適宜選択することとなる。台紙の上下に延びる補助片５、６は折り曲げて蓋を形成するものであり、図には略正方形二枚と台形二枚とから構成されることが示されているが、その形状については四つの補助片を折り畳んだときに個箱に収納するボトルなどの容器が外に飛び出すことが無いようにすればどのような形状をしていても何ら差し障りがない。なお、これらの補助片を折り畳んだのちは適当な部位にて接着し個箱を構成することはいうまでもないところである。
【００１２】
図２には左側の個箱のみを組み立てた時の状態を示す。同様にして右側の個箱を組み立てれば、両者が中心の破断線を連結部位として複合包装体を構成していることが理解できる。こうして、構成された本発明の複合包装体は、それまでに製造されてきた個箱に対する充填方法と大差なく、充填される商品の充填間隔の調整のみによって容易に製造ラインに組み込むことが可能となるために、従来の製造ラインに変更を要しないので、製造コストの低減に有効である。また、構成される個箱の大きさは、収納する商品の形状や大きさにより適宜縮小、拡大することができる。本発明例では直方体の個箱が二つ並べた状態に構成されるが、三角柱、五角柱、立方体、円柱、半円柱など種々の形状をとることも可能である。さらに、個箱の表面に文字や図形を印刷し、各個箱を並べた状態で一つの図形を表現するように装飾を施し、あるいは窓を設けて内容物が確認できるようにしても良い。
【００１３】
図３には個箱に収納物を充填した状態を示す。本例は、コンタクトレンズケア用ソリューションを有するボトルを二本収納した状態を現している。収納物は図に示すようなボトル形状のもの以外にも個箱から漏れないような状態で有ればどのような物を収納しても良い。図３の右側には、個箱に分離した状態を示しており、単品で販売する場合にも対応できる構造を有する。この形態は販売時のみならず、使用者が購入後一方を使用中に他方を保存しておく場合にも、空の個箱を廃棄して、省スペースにすることができる点で好ましい。また、一本で大容量のものを購入するよりも、本発明のセット品として二本に分割したものを購入する方が、使用者にとっては携帯に便利であり、使用中の内容物が微生物などにより汚染されることを防止する上で効果的である。
【００１４】
以上、本発明の好ましい態様を図示し、上記具体的な図面を参照して述べてきたが、本発明は上記実施例に限定されることなく、本発明の趣旨を逸脱しない限りにおいて、当業者の知識に基づいて種々なる変更、修正、改良などを加えうるものであることが、理解されよう。
【００１５】
【発明の効果】
以上説明したように、本発明に係わる複合包装体によれば、従来の製造ラインに特別の変更を加えることなく、経済的、合理的にセット品の製造をすることができ、当該包装体は、簡単な操作により個別の単品としても取り扱うことができるものである。したがって、異種の物品をセット品にて販売する方法だけでなく、同種の物品の増量供給にも対応し、各種商品を包装する包装体として広範な分野に利用できるものである。
【図面の簡単な説明】
【図１】図１は本発明包装体の一実施例を示す展開図である。
【図２】図２は前記包装体の中間組立状態を示す斜視図である。
【図３】図３は本発明包装体に一例としてボトルを収納した状態および、単品とした場合を示す斜視図である。
【符号の説明】
１　　　　　　　　台紙
２　　　　　　　　破断線
３、４　　　　　　糊代
５、６　　　　　　補助片
【図１】
2004136905.tif 000003
【図２】
2004136905.tif 000004
【図３】
2004136905.tif 000005